(57)【要約】【課題】設置する場所の条件が厳しくなく、且つ発電効率が天候に影響されない循環発電装置を提供する。【解決手段】内部に少なくとも一つの仕切板が設けられ、前記仕切板によりその内部が少なくとも、一つの上収容室と、一つの下収容室と、に仕切られ、前記仕切板には、前記上収容室と前記下収容室とを連通する水漏れ口が設けられる筐体と、前記下収容室に設けられる少なくとも一つの下水車モジュールと、水吸上げ口と、排水口と、を有し、前記水吸上げ口が前記下収容室の底部に位置し、前記排水口が前記上収容室に位置する水吸上げチューブと、前記水吸上げ口から前記排水口に液体を吸上げるポンプ装置と、水車モジュールに駆動されて発電する発電モジュールと、を含む。【選択図】図１
2012077618.tif 000002
【特許請求の範囲】
【請求項１】
内部に少なくとも一つの仕切板が設けられ、前記仕切板によりその内部が少なくとも、一つの上収容室と、一つの下収容室と、に仕切られ、前記仕切板には、前記上収容室と前記下収容室とを連通する水漏れ口が設けられる筐体と、
前記下収容室に設けられる少なくとも一つの下水車モジュールと、
水吸上げ口と、排水口と、を有し、前記水吸上げ口が前記下収容室の底部に位置し、前記排水口が前記上収容室に位置する水吸上げチューブと、
前記水吸上げ口から前記排水口に液体を吸上げるポンプ装置と、
水車モジュールに駆動されて発電する発電モジュールと、を含み、
前記上収容室と前記下収容室との内部に前記液体が収容され、前記上収容室に収容される前記液体は、前記上収容室の底部に蓄積し、重力により前記水漏れ口を経由して前記下収容室に進入し、このとき、前記下収容室の気圧が増加し、且つ前記ポンプ装置の加圧により、前記下収容室の底部にある前記液体は、前記水吸上げ口から前記排水口に流動して、前記上収容室に流入することを特徴とする循環発電装置。
【請求項２】
前記下水車モジュールと前記発電モジュールとの間に伝動装置が設けられ、前記伝動装置はギア組であり、前記下水車モジュールの周面に歯部が多数設けられ、前記歯部は前記ギア組のうちの一つのギアと噛合って連動することを特徴とする、請求項１に記載の循環発電装置。
【請求項３】
前記仕切板は漏斗状を呈し、前記水漏れ口は前記仕切板の最も低い箇所に位置することを特徴とする、請求項１に記載の循環発電装置。
【請求項４】
前記上収容室が前記排水口に対応し、そして上水車モジュールと、前記上水車モジュールに駆動される発電モジュールと、が設けられることを特徴とする、請求項３に記載の循環発電装置。
【請求項５】
内部に少なくとも一つの仕切板が設けられ、前記仕切板によりその内部が少なくとも、一つの上収容室と、一つの下収容室と、に仕切られ、前記仕切板には、前記上収容室と前記下収容室とを連通する水漏れ口が設けられる筐体と、
前記上収容室に設けられる上水車モジュールと、
水吸上げ口と、排水口と、を有し、前記水吸上げ口が前記下収容室の底部に位置し、前記排水口が前記上収容室に位置する水吸上げチューブと、
前記水吸上げ口から前記排水口に液体を吸上げるポンプ装置と、
水車モジュールに駆動されて発電する発電モジュールと、を含み、
前記上収容室と前記下収容室との内部に前記液体が収容され、前記上収容室に収容される前記液体は、前記上収容室の底部に蓄積し、重力により前記水漏れ口を経由して前記下収容室に進入して前記下収容室の底部に蓄積し、このとき、前記下収容室の気圧が増加し、且つ前記ポンプ装置の加圧により、前記下収容室の底部にある前記液体は、前記水吸上げ口から前記排水口に流動して、前記上収容室に流入して前記上水車モジュールを駆動して、前記上収容室の底部に蓄積することを特徴とする循環発電装置。
【請求項６】
前記上水車モジュールと前記発電モジュールとの間に伝動装置が設けられ、前記伝動装置はギア組であることを特徴とする、請求項５に記載の循環発電装置。
【請求項７】
前記上水車モジュールの周面に歯部が多数設けられ、前記歯部は前記ギア組のうちの一つのギアと噛合って連動することを特徴とする、請求項６に記載の循環発電装置。
【請求項８】
前記仕切板は漏斗状を呈し、前記水漏れ口は前記仕切板の最も低い箇所に位置することを特徴とする、請求項５に記載の循環発電装置。
【発明の詳細な説明】
【技術分野】
【０００１】
本発明は、発電装置に関し、特に、空気の圧力差と重力とによって駆動される循環発電装置に関するものである。
【背景技術】
【０００２】
目下、グリーンエネルギーの研究開発が盛んになっており、グリーンエネルギーは、発電装置によりソーラーエネルギー、風力および水力などを利用して発電して得られるエネルギーである。しかし、上記の発電装置は、技術的なネック及び制限があり、且つ室外に設置することが必要であり、例えばソーラーエネルギーを利用する発電装置は日照が良い場所に設置する必要があり、風力を利用する発電装置は風速が一定以上である場所に設置する必要があり、水力を利用する発電装置は川やダムの付近に設置する必要がある。
【０００３】
上記の発電装置は、設置する場所の条件が厳しく、且つ発電効率が天候に影響され易く、発電効率が不安定であり、そして長期間に室外に設置するため、寿命が短縮し、これにより、このような発電装置による電力は極めて高価である。
【発明の概要】
【発明が解決しようとする課題】
【０００４】
そこで、本発明の主な目的は、設置する場所の条件が厳しくなく、且つ発電効率が天候に影響されない循環発電装置を提供することにある。
【課題を解決するための手段】
【０００５】
本発明の循環発電装置によると、内部に少なくとも一つの仕切板が設けられ、前記仕切板によりその内部が少なくとも、一つの上収容室と、一つの下収容室と、に仕切られ、前記仕切板には、前記上収容室と前記下収容室とを連通する水漏れ口が設けられる筐体と、前記下収容室に設けられる少なくとも一つの下水車モジュールと、水吸上げ口と、排水口と、を有し、前記水吸上げ口が前記下収容室の底部に位置し、前記排水口が前記上収容室に位置する水吸上げチューブと、前記水吸上げ口から前記排水口に液体を吸上げるポンプ装置と、水車モジュールに駆動されて発電する発電モジュールと、を含み、前記上収容室と前記下収容室との内部に前記液体が収容され、前記上収容室に収容される前記液体は、前記上収容室の底部に蓄積し、重力により前記水漏れ口を経由して前記下収容室に進入し、このとき、前記下収容室の気圧が増加し、且つ前記ポンプ装置の加圧により、前記下収容室の底部にある前記液体は、前記水吸上げ口から前記排水口に流動して、前記上収容室に流入することを特徴とする。
【０００６】
本発明の循環発電装置によると、前記下水車モジュールと前記発電モジュールとの間に伝動装置が設けられ、前記伝動装置はギア組であり、前記下水車モジュールの周面に歯部が多数設けられ、前記歯部は前記ギア組のうちの一つのギアと噛合って連動することを特徴とする。
【０００７】
本発明の循環発電装置によると、前記仕切板は漏斗状を呈し、前記水漏れ口は前記仕切板の最も低い箇所に位置することを特徴とする。
【０００８】
本発明の循環発電装置によると、前記上収容室が前記排水口に対応し、そして上水車モジュールと、前記上水車モジュールに駆動される発電モジュールと、が設けられることを特徴とする。
【０００９】
本発明の循環発電装置によると、内部に少なくとも一つの仕切板が設けられ、前記仕切板によりその内部が少なくとも、一つの上収容室と、一つの下収容室と、に仕切られ、前記仕切板には、前記上収容室と前記下収容室とを連通する水漏れ口が設けられる筐体と、前記上収容室に設けられる上水車モジュールと、水吸上げ口と、排水口と、を有し、前記水吸上げ口が前記下収容室の底部に位置し、前記排水口が前記上収容室に位置する水吸上げチューブと、前記水吸上げ口から前記排水口に液体を吸上げるポンプ装置と、水車モジュールに駆動されて発電する発電モジュールと、を含み、前記上収容室と前記下収容室との内部に前記液体が収容され、前記上収容室に収容される前記液体は、前記上収容室の底部に蓄積し、重力により前記水漏れ口を経由して前記下収容室に進入して前記下収容室の底部に蓄積し、このとき、前記下収容室の気圧が増加し、且つ前記ポンプ装置の加圧により、前記下収容室の底部にある前記液体は、前記水吸上げ口から前記排水口に流動して、前記上収容室に流入して前記上水車モジュールを駆動して、前記上収容室の底部に蓄積することを特徴とする。
【００１０】
本発明の循環発電装置によると、前記上水車モジュールと前記発電モジュールとの間に伝動装置が設けられ、前記伝動装置はギア組であることを特徴とする。
【００１１】
本発明の循環発電装置によると、前記上水車モジュールの周面に歯部が多数設けられ、前記歯部は前記ギア組のうちの一つのギアと噛合って連動することを特徴とする。
【００１２】
本発明の循環発電装置によると、前記仕切板は漏斗状を呈し、前記水漏れ口は前記仕切板の最も低い箇所に位置することを特徴とする。
【発明の効果】
【００１３】
本発明の循環発電装置によれば、設置する場所の条件が厳しくなく、且つ発電効率が天候に影響されないという効果を有する。
【図面の簡単な説明】
【００１４】
【図１】本発明の一実施例の透視図である。
【図２】本発明の一実施例の断面図である。
【図３】本発明の一実施例の使用状態を示す断面図である。
【発明を実施するための形態】
【００１５】
以下、本発明の実施の形態を図面に基づいて説明する。
まず、図１及び図２を参照する。本発明の一実施例の循環発電装置は、筐体１０と、上水車モジュール２０と、下水車モジュール３０と、水吸上げチューブ４０と、発電モジュール５０と、ポンプ装置６０と、を含む。
【００１６】
筐体１０は、その内部に少なくとも一つの仕切板１１が設けられ、仕切板１１によりその内部が、一つの上収容室１２と、一つの下収容室１３と、に仕切られ、もちろん、二つ以上の収容室に仕切られてもよい。上収容室１２は、上端が封止される収容室であり、もちろん、上端が開放してもよいが、上下収容室が封止される収容室であることが好ましい。仕切板１１には、上収容室１２と下収容室１３とを連通する水漏れ口１４が設けられる。仕切板１１は、平板でもよいが、漏斗状を呈することが好ましい。水漏れ口１４は仕切板１１の最も低い箇所に位置する。
【００１７】
上水車モジュール２０は上収容室１２に設けられる。下水車モジュール３０は下収容室１３に設けられる。下水車モジュール３０は水漏れ口１４に対応する。上水車モジュール２０と下水車モジュール３０との周面には、複数の板が距離を置いて環設され、これにより、上水車モジュール２０と下水車モジュール３０との周面に液体の蓄積区が形成される。
【００１８】
水吸上げチューブ４０は、水吸上げ口４１と、排水口４２と、を有し、水吸上げ口４１が下収容室１３の底部に位置し、排水口４２は、上収容室１２に位置し、上水車モジュール２０に対応する。水吸上げ口４１と排水口４２との開口の面積は水漏れ口１４の開口の面積よりも小さく、これにより、水やオイルなどの液体の滴下速度が加速される。小さい開口面積を有する、水吸上げ口４１と、排水口４２とにより、管内の圧力が増加し、液体を吸上げ可能な高さが大幅に増加する。
【００１９】
発電モジュール５０は、上水車モジュール２０と下水車モジュール３０とのうちの少なくとも一つの回転に駆動されて発電する。上下水車モジュール２０、３０と発電モジュール５０の間に伝動装置が設けられることが好ましい。本実施例では、伝動装置がギア組であり、上下水車モジュール２０、３０の周面に歯部が多数設けられ、前記歯部は前記ギア組のうちの一つのギア５１と噛合って連動する。もちろん、発電モジュール５０は、上下水車モジュール２０、３０の軸心に設けられてもいいし、ベルトやローラチェーンなどの伝動装置により上下水車モジュール２０、３０と連動して回転してもよい。
【００２０】
図３を参照する。上収容室１２と下収容室１３とに液体（例えば水やオイルなど）が蓄積されており、説明を容易にするために、液体は水を例にして説明する。本発明の一実施例の循環発電装置が稼動しているときには、上収容室１２にある液体は、上収容室１２の底部に蓄積し、すなわち、漏斗状を呈する仕切板１１の上で蓄積し、重力により水漏れ口１４を経由して下収容室１３の下水車モジュール３０の蓄積区に滴下し、前記蓄積区にある水の重量が一定以上になると、下水車モジュール３０が回転して、液体が下収容室１３の底部に蓄積する。このとき、下収容室１３の気圧が増加し（下収容室１３の水位が上昇して空気が圧縮されるため）、上収容室１２の気圧が減少し（上収容室１２の水位が降下するため）、気圧の差により、下収容室１３の底部に蓄積する液体は、水吸上げ口４１から排水口４２に吸上げて、上水車モジュール２０の蓄積区に滴下し、前記蓄積区にある水の重量が一定以上になると、上水車モジュール２０が回転し、このとき、発電モジュール５０が駆動されて発電する。
【００２１】
本発明の一実施例の循環発電装置は、液体が上収容室１２から下収容室１３に流入して下収容室１３にある空気を圧縮して、この気圧により下収容室１３から上収容室１２に液体を輸送することの他に、低電力消費のポンプ装置６０も設けている。ポンプ装置６０により、気圧の差により水吸上げチューブ４０に押込まれる水が加圧されて排水口４２を経由して上収容室１２に流入する。下収容室１３に圧力検知ユニット（図示せず）を設けることが好ましい。気圧の差が不足である場合には、前記圧力検知ユニットによりポンプ装置６０が起動され、これにより、下収容室１３から上収容室１２に液体を輸送することができる。そうすると、ポンプ装置６０の電力の無駄な消費を回避できる。
【００２２】
また、本発明のポンプ装置６０の電力の消費は、発電モジュール５０の発電量よりも小さいことが必要であり、そうすると、発電モジュール５０の発電量からポンプ装置６０の電力の消費を引いた電力を外部の装置に供給することができる。もちろん、ポンプ装置６０を駆動する電力は、一部が発電モジュール５０から供給し、一部が外部の電力（例えば市電）を受けてもよい。そうすると、ポンプ装置６０の電力の消費が何時も発電モジュール５０の発電量よりも少ないことを確保できる。
【００２３】
上記の説明から明らかなように、本発明の一実施例の循環発電装置は、重力および気圧の差を利用すると共に、簡易なポンプ装置を利用するため、持続に発電することができ、そして室内外の何れかの空間に設置することができるため、室外の過酷な天候による循環発電装置の劣化を防止できる。
【００２４】
一方、本発明の一実施例の循環発電装置は、上収容室１２と下収容室１３とのうちの少なくとも一つにドアを設けてもよい。そうすると、水車モジュールなどの保全作業が利便になる。
【産業上の利用可能性】
【００２５】
本発明は、発電装置に適用することができる。
【符号の説明】
【００２６】
１０：筐体
１１：仕切板
１２：上収容室
１３：下収容室
１４：水漏れ口
２０：上水車モジュール
３０：下水車モジュール
４０：水吸上げチューブ
４１：水吸上げ口
４２：排水口
５０：発電モジュール
５１：ギア
６０：ポンプ装置
【図１】
2012077618.tif 000003
【図２】
2012077618.tif 000004
【図３】
2012077618.tif 000005